(57)【要約】【課題】正面からの物品の出し入れやメンテナンスを行いやすくすることができるショーケースを提供する。【解決手段】ショーケース１は、物品が陳列される陳列室Ｒ１を有するケース本体１０と、閉じた状態のときの上側を支点として下側を上下に移動させることで陳列室Ｒ１の前側を開閉する扉２０と、陳列室Ｒ１内に位置する収納位置と少なくとも一部が収納位置から前方に引き出された引出位置との間で前後方向にスライド移動可能に設けられ、物品が陳列される陳列台３０と、扉２０および陳列台３０に連結され、扉２０を開く動作に連動して陳列台３０を引出位置に移動させ、扉２０を閉じる動作に連動して陳列台３０を収納位置に移動させる連動機構５０とを備える。【選択図】図１
2016022126.tif 000002
【特許請求の範囲】
【請求項１】
物品が陳列される陳列室を有するケース本体と、
閉じた状態のときの上側を支点として下側を上下に移動させることで前記陳列室の前側を開閉する扉と、
前記陳列室内に位置する収納位置と少なくとも一部が前記収納位置から前方に引き出された引出位置との間で前後方向にスライド移動可能に設けられ、物品が陳列される陳列台と、
前記扉および前記陳列台に連結され、前記扉を開く動作に連動して前記陳列台を前記引出位置に移動させ、前記扉を閉じる動作に連動して前記陳列台を前記収納位置に移動させる連動機構と、を備えることを特徴とするショーケース。
【請求項２】
前記連動機構は、左右方向に延びる第１軸を中心に回動可能に前記ケース本体に支持されたリンク部材を含み、
前記リンク部材と前記扉とは、前記第１軸に平行な第２軸を中心に回動可能に連結され、
前記リンク部材と前記陳列台とは、前記第１軸よりも下方で、前記第１軸に平行な第３軸を中心に回動可能、かつ、前記リンク部材が前記陳列台に対して前記第３軸に直交する方向にスライド移動可能に連結されていることを特徴とする請求項１に記載のショーケース。
【請求項３】
前記リンク部材と前記扉との連結部は、前記扉が閉じた状態のときに前記第１軸よりも下方かつ前方に配置され、
前記リンク部材と前記陳列台との連結部は、前記扉が閉じた状態のときに前記第１軸よりも後方に配置されていることを特徴とする請求項２に記載のショーケース。
【請求項４】
前記陳列台は、前記収納位置と前記引出位置との間で前後方向にスライド移動可能に前記ケース本体に支持され、物品が陳列される台本体部を有し、
前記リンク部材と前記陳列台との連結部は、前記台本体部よりも上方に配置されていることを特徴とする請求項２または請求項３に記載のショーケース。
【請求項５】
前記陳列台は、前記台本体部の上に配置され、物品が陳列される陳列棚と、前記台本体部に設けられて前記陳列棚を支持する棚支持部と、を有し、
前記リンク部材と前記陳列台との連結部は、前記棚支持部に設けられていることを特徴とする請求項４に記載のショーケース。
【請求項６】
前記扉が閉じる方向への前記リンク部材の回動に抵抗を付与するダンパ装置を備えることを特徴とする請求項２から請求項５のいずれか１項に記載のショーケース。
【請求項７】
前記扉は、前記支点が前記ケース本体に対して前後方向にスライド移動可能となるように前記ケース本体に支持されていることを特徴とする請求項１から請求項６のいずれか１項に記載のショーケース。
【請求項８】
前記ケース本体は、前記扉のスライド移動を案内する、前後方向に延びるガイドレールを有し、
前記ガイドレールの後端部には、前記扉の一部が係合することで前記支点の前方への移動を規制する移動規制部が設けられていることを特徴とする請求項７に記載のショーケース。
【請求項９】
前記陳列室内を冷却する冷却装置を備えることを特徴とする請求項１から請求項８のいずれか１項に記載のショーケース。
【請求項１０】
前記ケース本体は、前記陳列室の後側の壁を形成する後壁を有し、
前記後壁は、前後方向にスライド移動可能に前記ケース本体に支持され、前記陳列室の後側を開閉するように構成されていることを特徴とする請求項１から請求項９のいずれか１項に記載のショーケース。
【発明の詳細な説明】
【技術分野】
【０００１】
本発明は、物品が陳列される陳列室を有するショーケースに関する。
【背景技術】
【０００２】
物品が陳列される陳列室を有するショーケースとして、特許文献１には、物品を乗載する床板を有するスライドテーブルが、前後方向にスライド移動可能に設けられたものが開示されている。このような構成により、特許文献１に開示されたショーケースは、スライドテーブルを引き出した状態で、床板の上に物品を載置することができるようになっている。
【先行技術文献】
【特許文献】
【０００３】
【特許文献１】特開２００３−５２４９８号公報
【発明の概要】
【発明が解決しようとする課題】
【０００４】
ところで、従来技術は、スライドテーブルに、床板の端部から上に向けて立ち上がり、スライドテーブルがショーケース本体に挿入されたときに陳列室の側面の壁を構成する、外蓋体が設けられている。そのため、スライドテーブルを引き出したときには、床板と外蓋体とが一体となって引き出されるので、外蓋体が邪魔になって正面からの物品の出し入れや清掃などのメンテナンスが行いにくいという問題があった。
【０００５】
そこで、本発明は、正面からの物品の出し入れやメンテナンスを行いやすくすることができるショーケースを提供することを目的とする。
【課題を解決するための手段】
【０００６】
前記目的を達成するため、本発明のショーケースは、物品が陳列される陳列室を有するケース本体と、閉じた状態のときの上側を支点として下側を上下に移動させることで前記陳列室の前側を開閉する扉と、前記陳列室内に位置する収納位置と少なくとも一部が前記収納位置から前方に引き出された引出位置との間で前後方向にスライド移動可能に設けられ、物品が陳列される陳列台と、前記扉および前記陳列台に連結され、前記扉を開く動作に連動して前記陳列台を前記引出位置に移動させ、前記扉を閉じる動作に連動して前記陳列台を前記収納位置に移動させる連動機構と、を備えることを特徴とする。
【０００７】
このような構成によれば、扉を開くことで陳列台が引出位置に移動するため、物品の出し入れやメンテナンスを行いやすくすることができる。このとき、扉は、閉じた状態のときの上側を支点として下側が上に移動して陳列室の正面から退避しているので、正面からの物品の出し入れやメンテナンスが行いやすくなっている。
【０００８】
前記したショーケースにおいて、前記連動機構は、左右方向に延びる第１軸を中心に回動可能に前記ケース本体に支持されたリンク部材を含み、前記リンク部材と前記扉とは、前記第１軸に平行な第２軸を中心に回動可能に連結され、前記リンク部材と前記陳列台とは、前記第１軸よりも下方で、前記第１軸に平行な第３軸を中心に回動可能、かつ、前記リンク部材が前記陳列台に対して前記第３軸に直交する方向にスライド移動可能に連結されている構成とすることができる。
【０００９】
これによれば、比較的簡単な構成で扉と陳列台の移動を連動させることができる。
【００１０】
前記したショーケースにおいて、前記リンク部材と前記扉との連結部は、前記扉が閉じた状態のときに前記第１軸よりも下方かつ前方に配置され、前記リンク部材と前記陳列台との連結部は、前記扉が閉じた状態のときに前記第１軸よりも後方に配置されている構成とすることができる。
【００１１】
これによれば、扉を開くことによって回動するリンク部材の回動量を大きくできるので、リンク部材の回動によって前後方向にスライド移動する陳列台の収納位置から引出位置への移動量を大きくすることができる。これにより、物品の出し入れやメンテナンスをより行いやすくすることができる。
【００１２】
前記したショーケースにおいて、前記陳列台は、前記収納位置と前記引出位置との間で前後方向にスライド移動可能に前記ケース本体に支持され、物品が陳列される台本体部を有し、前記リンク部材と前記陳列台との連結部は、前記台本体部よりも上方に配置されている構成とすることができる。
【００１３】
これによれば、リンク部材の回動軸と、リンク部材と陳列台との連結部との距離を短くできるので、リンク部材の大型化を抑制することができる。これにより、コンパクトな構成で扉と陳列台の移動を連動させることができる。
【００１４】
前記したショーケースにおいて、前記陳列台は、前記台本体部の上に配置され、物品が陳列される陳列棚と、前記台本体部に設けられて前記陳列棚を支持する棚支持部と、を有し、前記リンク部材と前記陳列台との連結部は、前記棚支持部に設けられている構成とすることができる。
【００１５】
これによれば、棚支持部とは別にリンク部材と陳列台との連結部を設ける構成と比較して、陳列台の構成をより簡単にすることができる。
【００１６】
前記したショーケースは、前記扉が閉じる方向への前記リンク部材の回動に抵抗を付与するダンパ装置を備える構成とすることができる。
【００１７】
これによれば、扉が閉じるときの衝撃を緩和することができる。
【００１８】
前記したショーケースにおいて、前記扉は、前記支点が前記ケース本体に対して前後方向にスライド移動可能となるように前記ケース本体に支持されている構成とすることができる。
【００１９】
これによれば、扉は、開くときに、上側の支点を基準に下側が上に移動しながら、全体としては後方に移動することになるので、扉が開閉する際の、扉の前側への張り出し量を抑えることができる。これにより、開閉時に扉を邪魔になりにくくすることができる。
【００２０】
前記したショーケースにおいて、前記ケース本体は、前記扉のスライド移動を案内する、前後方向に延びるガイドレールを有し、前記ガイドレールの後端部には、前記扉の一部が係合することで前記支点の前方への移動を規制する移動規制部が設けられている構成とすることができる。
【００２１】
これによれば、扉の一部を移動規制部に係合させることで、扉を開いた状態に保持できるので、物品の出し入れやメンテナンスをより行いやすくすることができる。
【００２２】
前記したショーケースは、前記陳列室内を冷却する冷却装置を備える構成とすることができる。
【００２３】
これによれば、物品の出し入れやメンテナンスが行いやすいショーケースを、冷蔵ショーケースとして利用することができる。
【００２４】
前記したショーケースにおいて、前記ケース本体は、前記陳列室の後側の壁を形成する後壁を有し、前記後壁は、前後方向にスライド移動可能に前記ケース本体に支持され、前記陳列室の後側を開閉するように構成することができる。
【００２５】
これによれば、陳列室の前側だけではなく、後側も開くことができるので、メンテナンスなどをより行いやすくすることができる。
【発明の効果】
【００２６】
本発明によれば、正面からの物品の出し入れやメンテナンスを行いやすくすることができる。
【図面の簡単な説明】
【００２７】
【図１】実施形態に係るショーケースを示す断面図である。
【図２】扉、後壁およびストック室扉が開いた状態のショーケースを示す断面図である。
【図３】陳列台を示す斜視図である。
【図４】扉を開閉するときの動作を説明する図である。
【図５】扉を開閉するときの動作を説明する図である。
【図６】扉を開閉するときの動作を説明する図である。
【発明を実施するための形態】
【００２８】
次に、発明の一実施形態について、適宜図面を参照しながら詳細に説明する。
図１に示すように、ショーケース１は、陳列室Ｒ１などを有するケース本体１０と、陳列室Ｒ１の前側を開閉する扉２０と、陳列台３０と、陳列室Ｒ１内を冷却する冷却装置４０と、連動機構５０とを主に備えている。
【００２９】
ケース本体１０は、陳列室Ｒ１と、ストック室Ｒ２と、冷却室Ｒ３と、機械室Ｒ４とを有している。
【００３０】
陳列室Ｒ１は、菓子などの物品が陳列される部屋である。陳列室Ｒ１は、前側の壁を形成する扉２０と、後側の壁を形成する後壁１１と、左右の壁を形成する透明な側面ガラス１２と、上側の壁を形成する透明な天板ガラス１３と、床部分を形成する陳列台３０（台本体部３１）とによって囲まれた部屋として形成されている。陳列室Ｒ１は、前側および後側が開放されている。
【００３１】
後壁１１は、透明なガラスを主に有して構成されている。図２に示すように、後壁１１の下端部には、前後方向にスライド移動可能にケース本体１０に支持された左右一対のスライドレール１１Ａが連結されている。これにより、後壁１１は、前後方向にスライド移動可能にケース本体１０に支持され、前後にスライド移動させることで陳列室Ｒ１の後側を開閉するように構成されている。
【００３２】
図１に戻り、ストック室Ｒ２は、ストック用の物品が収納される部屋であり、陳列室Ｒ１の下に設けられている。ストック室Ｒ２は、前側および後側が開放されており、下側を支点に回動可能な前後のストック室扉１４によって開閉される。図２に示すように、前側のストック室扉１４を開くと、ストック用の物品の出し入れや、ストック室Ｒ２の清掃などのメンテナンスを行うことができる。また、後側のストック室扉１４を開くと、ストック室Ｒ２の後部のメンテナンスを行うことができる。各ストック室扉１４の左右両端部には、公知のソフトダウンステー１４Ａが取り付けられ、これによって、ストック室扉１４は、緩やかに、かつ、スムーズに動作可能となっている。
【００３３】
図１に示すように、冷却室Ｒ３は、冷却装置４０を構成する蒸発器４１やファン４２などが配置される部屋であり、ストック室Ｒ２の下に設けられている。冷却室Ｒ３、ストック室Ｒ２および陳列室Ｒ１は、前側および後側が通気孔（符号省略）によって互いに連通している。冷却室Ｒ３内で蒸発器４１によって冷やされた空気は、ファン４２によって形成される気流により、後側の通気孔を通ってストック室Ｒ２内および陳列室Ｒ１内に供給される。また、陳列室Ｒ１内やストック室Ｒ２内の空気は、ファン４２によって形成される気流により、前側の通気孔を通って冷却室Ｒ３内に戻るようになっている。ストック室Ｒ２の後部には、冷却室Ｒ３からの冷えた空気を陳列室Ｒ１側に向けて案内する案内板１５が設けられている。
【００３４】
機械室Ｒ４は、冷却装置４０を構成する冷凍機４３などが配置される部屋であり、冷却室Ｒ３の下に設けられている。冷凍機４３は、公知の構成を有する図示しない圧縮機や凝縮器などを備えている。
【００３５】
ケース本体１０は、側面ガラス１２を支持する左右一対のサイドフレーム１６と、各サイドフレーム１６の上部に設けられたガイドレール１７をさらに有している。ガイドレール１７は、扉２０の前後方向へのスライド移動を案内する部材であり、サイドフレーム１６の上部から左右方向内側に突出し、前後方向に長く延びる板状に形成されている。ガイドレール１７の後端部には、扉２０の一部であるローラ２３が係合する段差状の移動規制部１７Ａが設けられている。
【００３６】
扉２０は、陳列室Ｒ１の前側を開閉する部材であり、図示しない透明なガラスと、当該ガラスを支持する金属製の扉フレーム２１と、照明支持部２２とを主に有している。
【００３７】
図１に示す扉２０が閉じた状態のときを基準として、扉フレーム２１は、上端部の左右両側に、それぞれ、転動可能なローラ２３を有している。また、扉フレーム２１は、下端部の左右両端部に、陳列室Ｒ１内に向けて延出する板状のリンク連結部２４を有している。また、扉フレーム２１は、下端部の外側に、前方に向けて突出するように形成されたハンドル２５を有している。
【００３８】
照明支持部２２は、陳列室Ｒ１内を照らす図示しない発光ダイオードや蛍光灯などの光源が設けられる部分であり、左右方向に長い略箱状に形成されている。照明支持部２２には、カールコード７０が接続され、カールコード７０を介して光源に電力が供給される。照明支持部２２は、左右両側に、それぞれ、転動可能なローラ２６を有している。照明支持部２２と扉フレーム２１とは、ローラ２３の回転中心付近を通る左右方向に延びる軸を中心に互いに回動可能に連結されている。
【００３９】
扉２０は、左右のローラ２３，２６が、左右の対応するガイドレール１７の上に載った状態で、ローラ２３，２６がケース本体１０に対して前後方向にスライド移動可能となるようにケース本体１０に支持されている。また、扉２０は、閉じた状態のときの上側に位置するローラ２３を支点として下側のハンドル２５を上下に移動させることで、ローラ２３を中心に回動するようにケース本体１０に支持されている。
【００４０】
陳列台３０は、物品が陳列される部材であり、図３に示すように、陳列室Ｒ１の床部分を形成する台本体部３１と、台本体部３１の上に配置された陳列棚３２と、棚支持部３３とを主に有している。
【００４１】
台本体部３１は、陳列室Ｒ１内において一番下に位置する物品が陳列される部分である。台本体部３１は、図示しないスライドレールを介して、図１に示すような陳列室Ｒ１内に位置する収納位置と、図２に示すような前部分が収納位置から前方の陳列室Ｒ１外に引き出された引出位置との間で、前後方向にスライド移動可能にケース本体１０に支持されている。これにより、陳列台３０は、収納位置と引出位置との間で前後方向にスライド移動可能に設けられている。
【００４２】
陳列棚３２は、台本体部３１と同様の、物品が陳列される部分であり、板状に形成されて、台本体部３１との間に所定の間隔をあけた状態で台本体部３１の上に配置されている。なお、陳列棚は、１つだけに限定されるものではなく、例えば、ショーケースのサイズや用途などに応じて、上下方向に並べて２つ以上設けてもよい。
【００４３】
棚支持部３３は、陳列棚３２を支持する部分であり、台本体部３１の左右両端部の後寄りに１つずつ設けられている。各棚支持部３３は、それぞれ、側面視において略Ｕ字形の台状に形成された支持部本体３３Ａと、支持部本体３３Ａの前側部分の中央付近と後側部分の中央付近とをつなぐように前後方向に延びる補強部３３Ｂとを有している。図３に鎖線で示すように、陳列棚３２は、左右の支持部本体３３Ａの上に架け渡されるようにして配置される。なお、陳列棚３２は、棚支持部３３の上に置かれているだけでもよいし、棚支持部３３に固定されていてもよい。
【００４４】
図１に示すように、連動機構５０は、扉２０を開く動作に連動して陳列台３０を引出位置に移動させ、扉２０を閉じる動作に連動して陳列台３０を収納位置に移動させる機構であり、陳列室Ｒ１の左右に設けられた一対のリンク部材５１を含んで構成されている。
【００４５】
リンク部材５１は、側面視略Ｌ字形状の板状の部材であり、それぞれ、被支持部５２と、図１に示す姿勢において被支持部５２から前斜め下方に延びる第１アーム５３と、第１アーム５３と略直交するように被支持部５２から後斜め下方に延びる第２アーム５４とを有している。
【００４６】
被支持部５２は、左右方向に延びる第１軸Ａ１を中心に回動可能に、対応するサイドフレーム１６の前端部の上下方向中央付近に支持されている。ショーケース１は、扉２０が閉じる方向（図１では時計回り方向）へのリンク部材５１の回動に抵抗を付与するダンパ装置６０を左右に１つずつ備え、各リンク部材５１の被支持部５２は、それぞれ、ダンパ装置６０を介してサイドフレーム１６に支持されている。なお、ダンパ装置６０としては、例えば、一方向性の公知のディスクダンパなどを採用することができる。
【００４７】
第１アーム５３は、扉２０に連結されている。より詳細に、各リンク部材５１の第１アーム５３と扉２０とは、第１アーム５３の先端部と、扉２０の対応するリンク連結部２４とが、第１軸Ａ１に平行な第２軸Ａ２を中心に回動可能に連結されている。左右方向から見て、リンク部材５１と扉２０との連結部であるリンク連結部２４（第２軸Ａ２）は、扉２０が閉じた状態のときに、第１軸Ａ１よりも下方かつ前方に配置される。
【００４８】
第２アーム５４は、陳列台３０に連結されている。より詳細に、各リンク部材５１の第２アーム５４と陳列台３０とは、第１軸Ａ１に平行な第３軸Ａ３を中心に回動可能、かつ、第２アーム５４が陳列台３０に対して第３軸Ａ３に直交する方向にスライド移動可能に連結されている。具体的には、陳列台３０の各棚支持部３３の補強部３３Ｂには、左右方向外側の面の前端部に、第３軸Ａ３を中心に回動可能に補強部３３Ｂに支持された筒状のリンク連結部材３４が設けられており（図３も参照）、第２アーム５４は、当該第２アーム５４が延びる方向にスライド移動可能に筒状のリンク連結部材３４に挿入されることで、リンク部材５１と陳列台３０とが連結されている。
【００４９】
左右方向から見て、リンク部材５１と陳列台３０との連結部であるリンク連結部材３４（第３軸Ａ３）は、第１軸Ａ１よりも下方に配置されている。また、リンク連結部材３４（第３軸Ａ３）は、扉２０が閉じた状態のときに、第１軸Ａ１よりも後方に配置されている。さらに、リンク連結部材３４（第３軸Ａ３）は、棚支持部３３の補強部３３Ｂに設けられていることで、台本体部３１よりも上方に配置されている。
【００５０】
次に、ショーケース１の扉２０を開閉するときの動作について説明する。
図１に示す扉２０が閉じた状態から、扉２０のハンドル２５を上に移動させると、図４および図５に順に示すように、扉２０は、ローラ２３を支点として回動しつつ、ローラ２３，２６がガイドレール１７に沿って後方に移動することで後方にスライド移動しながら、陳列室Ｒ１の前側を開いていく。
【００５１】
このとき、リンク部材５１は、第１アーム５３の先端部がリンク連結部２４に対して第２軸Ａ２を中心に回動しながら上に移動することで、第１軸Ａ１を中心に図示反時計回りに回動する。リンク部材５１が反時計回りに回動すると、第２アーム５４が、リンク連結部材３４に深く挿入される方向にスライド移動しつつ、第３軸Ａ３を中心に回動しながら、リンク連結部材３４を前方に向けて押す。これにより、陳列台３０は、収納位置から前方にスライド移動する。
【００５２】
図５に示すように、第２アーム５４が上下方向を向いた後、図６に示すように、ハンドル２５をさらに上に移動させると、リンク連結部材３４は、第２アーム５４によってさらに前方に向けて押される。これにより、リンク連結部材３４が第２アーム５４に沿って第２アーム５４から抜ける方向にスライド移動するので、陳列台３０は、さらに前に押し出され、前方にさらにスライド移動する。
【００５３】
図２に示すように、ローラ２６，２３がガイドレール１７の移動規制部１７Ａ（図６参照）に係合すると、ローラ２３が移動規制部１７Ａに引っ掛かることで、ローラ２３，２６の前方への移動が規制される。これにより、扉２０は、開いた状態に維持され、陳列台３０は、引出位置に移動完了する。開いた状態のとき、扉２０は、その前部分が陳列棚３２を上から覆う位置に配置される。
【００５４】
図２に示す扉２０が開いた状態から、扉２０のハンドル２５を持って下に移動させると、ローラ２３，２６が前方に移動しながら移動規制部１７Ａの段差を乗り越え、ローラ２３，２６と、移動規制部１７Ａとの係合が解除される。
【００５５】
そして、図６、図５および図４に順に示すように、ハンドル２５をさらに下に移動させると、扉２０は、ローラ２３を支点として回動しつつ、ローラ２３，２６がガイドレール１７に沿って前方に移動することで前方にスライド移動しながら、陳列室Ｒ１の前側を閉じていく。
【００５６】
このとき、リンク部材５１は、第１アーム５３の先端部が下に移動することで、第１軸Ａ１を中心に図示時計回りに回動する。リンク部材５１が時計回りに回動すると、第２アーム５４がリンク連結部材３４を後方に向けて押す。これにより、陳列台３０は、引出位置から後方にスライド移動する。そして、図１に示すように、ローラ２３がガイドレール１７の前端部に到達すると、扉２０は、閉じた状態となり、陳列台３０は、収納位置に移動完了する。
【００５７】
また、図１に示す扉２０が閉じた状態から、陳列台３０を前にスライド移動させると、図４、図５および図６に順に示すように、リンク連結部材３４が第２アーム５４を前方に向けて押すことで、リンク部材５１が第１軸Ａ１を中心に図示反時計回りに回動し、第１アーム５３の先端部が上に移動していく。これにより、扉２０がローラ２３を支点として回動しつつ、後方にスライド移動しながら、陳列室Ｒ１の前側を開いていく。そして、図２に示すように、ローラ２６，２３がガイドレール１７の移動規制部１７Ａに係合すると、扉２０は、開いた状態に維持され、陳列台３０は、引出位置に移動完了する。
【００５８】
図２に示す扉２０が開いた状態から、陳列台３０を後にスライド移動させると、図６、図５および図４に順に示すように、リンク連結部材３４が第２アーム５４を後方に向けて押すことで、リンク部材５１が第１軸Ａ１を中心に図示時計回りに回動し、第１アーム５３の先端部が下に移動していく。これにより、扉２０がローラ２３を支点として回動しつつ、前方にスライド移動しながら、陳列室Ｒ１の前側を閉じていく。そして、図１に示すように、ローラ２３がガイドレール１７の前端部に到達すると、扉２０は、閉じた状態となり、陳列台３０は、収納位置に移動完了する。
【００５９】
以上説明した本実施形態のショーケース１によれば、扉２０を開くことで陳列台３０が引出位置に移動し、扉２０を閉じることで陳列台３０が収納位置に移動する（戻る）ため、物品の出し入れやメンテナンスを行いやすくすることができる。そして、開いたとき、扉２０は、閉じた状態のときの上側に位置するローラ２３を支点として下側が上に移動して陳列室Ｒ１の正面から退避しているので、正面からの物品の出し入れやメンテナンスが行いやすくなっている。
【００６０】
また、連動機構５０は、第１軸Ａ１を中心に回動可能にケース本体１０に支持されたリンク部材５１を含み、リンク部材５１と扉２０とは、第２軸Ａ２を中心に回動可能に連結され、リンク部材５１と陳列台３０とは、第１軸Ａ１よりも下方で第３軸Ａ３を中心に回動可能、かつ、リンク部材５１が陳列台３０に対してスライド移動可能に連結されているので、比較的簡単な構成で扉２０と陳列台３０の移動を連動させることができる。
【００６１】
また、扉２０が閉じた状態のときを基準として、リンク連結部２４が第１軸Ａ１よりも下方かつ前方に配置され、リンク連結部材３４が第１軸Ａ１よりも後方に配置されているので、扉２０を開くことによって図示反時計回りに回動するリンク部材５１の回動量を大きくすることができる。これにより、リンク部材５１の回動によって前後方向にスライド移動する陳列台３０の収納位置から引出位置への移動量も大きくできるため、物品の出し入れやメンテナンスをより行いやすくすることができる。
【００６２】
また、リンク連結部材３４が台本体部３１よりも上方に配置されているので、リンク部材５１の回動軸である第１軸Ａ１と、リンク部材５１と陳列台３０との連結部であるリンク連結部材３４との距離を短くすることができる。これにより、第２アーム５４を短くすることができ、リンク部材５１全体の大型化を抑制することができるので、コンパクトな構成で扉２０と陳列台３０の移動を連動させることができる。
【００６３】
また、リンク部材５１と陳列台３０との連結部であるリンク連結部材３４が棚支持部３３に設けられているので、例えば、棚支持部とは別にリンク部材と陳列台との連結部を設ける構成と比較して、陳列台３０の構成をより簡単にすることができる。
【００６４】
また、ショーケース１は、扉２０が閉じる方向へのリンク部材５１の回動に抵抗を付与するダンパ装置６０を備えているので、扉２０を緩やかに閉じることができ、扉２０が閉じるときの衝撃を緩和することができる。
【００６５】
また、扉２０は、回動時の支点となるローラ２３がケース本体１０に対して前後方向にスライド移動可能となるようにケース本体１０に支持されているので、開くときに、上側のローラ２３を基準に下側が上に移動しながら、全体としては後方に移動することになるため、開閉する際の、扉２０の前側への張り出し量を抑えることができる。これにより、開閉時に扉２０を邪魔になりにくくすることができる。
【００６６】
また、ガイドレール１７の後端部に移動規制部１７Ａが設けられているので、扉２０のローラ２３などを移動規制部１７Ａに係合させることで、扉２０を開いた状態に保持することができる。これにより、物品の出し入れやメンテナンスをより行いやすくすることができる。
【００６７】
また、ショーケース１は、冷却装置４０を備えているので、物品の出し入れやメンテナンスが行いやすいなどといった上記作用効果を奏するショーケース１を、冷蔵ショーケースとして利用することができる。
【００６８】
また、陳列室Ｒ１の後壁１１が前後方向にスライド移動可能にケース本体１０に支持され、陳列室Ｒ１の後側を開閉するように構成されているので、ショーケース１は、陳列室Ｒ１の前側だけではなく、後側も開くことができる。これにより、メンテナンスなどをより行いやすくすることができる。
【００６９】
また、扉２０は、左右両側にそれぞれローラ２３，２６を有しているので、前後に並ぶ片側２つのローラ２３，２６によって支持されることで、照明支持部２２が前後に傾くことを抑制することができる。
【００７０】
以上、実施形態について説明したが、本発明は前記実施形態に限定されるものではない。具体的な構成については、下記のように発明の趣旨を逸脱しない範囲で適宜変更が可能である。
【００７１】
前記実施形態では、ケース本体のガイドレールに設けられる移動規制部として、段差状の移動規制部１７Ａを例示したが、これに限定されるものではない。例えば、移動規制部は、窪み状をなし、扉の一部が窪み部分に係合することで支点の前方への移動を規制するように構成されていてもよい。また、移動規制部は、凸状をなし、扉の一部が凸部分を乗り越えた後、凸部分に係合する（引っ掛かる）ことで支点の前方への移動を規制するように構成されていてもよい。
【００７２】
前記実施形態では、扉２０の支点（ローラ２３）がケース本体１０に対して前後方向にスライド移動可能となるようにケース本体１０に支持されていたが、これに限定されるものではない。例えば、扉は、支点がスライド移動しない構成であってもよい。言い換えれば、扉は、支点がケース本体に対して動かない構成であってもよい。
【００７３】
前記実施形態では、陳列台３０は、その一部である前部分だけが陳列室Ｒ１内に位置する収納位置から陳列室外に引き出されるように設けられていたが、これに限定されるものではない。例えば、陳列台は、その全体が陳列室内に位置する収納位置から陳列室外に引き出されるように設けられていてもよい。
【００７４】
前記実施形態で示した連動機構５０の構成は一例であり、前記した構成に限定されるものではない。例えば、前記実施形態では、リンク部材５１が側面視略Ｌ字形状に形成されていたが、リンク部材の具体的な形状は特に限定されるものではない。また、前記実施形態では、連動機構５０は、陳列室Ｒ１の左右それぞれにリンク部材５１を１つずつ備える構成であったが、これに限定されず、例えば、連動機構は、陳列室の左右それぞれにリンク部材を複数ずつ備える構成であってもよい。
【００７５】
前記実施形態では、ショーケースが冷却装置４０を備える冷蔵ショーケースとして構成された例を示したが、これに限定されず、例えば、物品としての腕時計や宝飾品などが陳列される、冷却装置を備えないショーケースであってもよい。
【００７６】
前記実施形態では、陳列室Ｒ１の後壁１１が陳列室Ｒ１の後側を開閉するように構成されていたが、これに限定されず、例えば、陳列室の後壁は、陳列室の後側を開閉しない構成であってもよい。
【００７７】
前記実施形態では、ショーケースの透明部分にガラスを採用したが、これに限定されず、例えば、透明な樹脂などを採用してもよい。
【符号の説明】
【００７８】
１      ショーケース
１０    ケース本体
１１    後壁
１７    ガイドレール
１７Ａ  移動規制部
２０    扉
２３    ローラ
２４    リンク連結部
３０    陳列台
３１    台本体部
３２    陳列棚
３３    棚支持部
３４    リンク連結部材
４０    冷却装置
５０    連動機構
５１    リンク部材
６０    ダンパ装置
Ａ１    第１軸
Ａ２    第２軸
Ａ３    第３軸
Ｒ１    陳列室
【図１】
2016022126.tif 000003
【図２】
2016022126.tif 000004
【図３】
2016022126.tif 000005
【図４】
2016022126.tif 000006
【図５】
2016022126.tif 000007
【図６】
2016022126.tif 000008